(57)【要約】【課題】本発明は、シールドケースに収納された装置とそのシールドケースの外部に設置された外部装置とのインタフェースをとる遮蔽インタフェース装置と、この遮蔽インタフェース装置の装着が可能な構造を有するシールドケースとに関し、多種の被検装置と、これらの被検装置毎に行われるべき検査等の形態との双方に対して、安価にかつ柔軟に適応できることを目的とする。【解決手段】シールドケースの外部に配置された第一の装置と、前記シールドケースの内部に収納される第二の装置との間のインタフェースをとるインタフェース手段と、前記シールドケースの外筐に形成された連通孔に着脱可能であって前記インタフェース手段が収納され、かつ前記シールドケースおよび前記インタフェース手段と共に、前記シールドケースの外部と内部との間における電磁的な遮蔽を図る筐体とを備える。【選択図】図１
2011009487.tif 000002
【特許請求の範囲】
【請求項１】
シールドケースの外部に配置された第一の装置と、前記シールドケースの内部に収納される第二の装置との間のインタフェースをとるインタフェース手段と、
前記シールドケースの外筐に形成された連通孔に着脱可能であって前記インタフェース手段が収納され、かつ前記シールドケースおよび前記インタフェース手段と共に、前記シールドケースの外部と内部との間における電磁的な遮蔽を図る筐体と
を備えたことを特徴とする遮蔽インタフェース装置。
【請求項２】
請求項１に記載の遮蔽インタフェース装置において、
前記インタフェース手段は、
前記第一の装置と前記第二の装置との間における一方向あるいは双方向の引き渡しの対象外である信号を阻止する第一の濾波手段を有する
ことを特徴とする遮蔽インタフェース装置。
【請求項３】
請求項１または請求項２に記載の遮蔽インタフェース装置において、
前記インタフェース手段は、
前記第一の装置と前記第二の装置との間で一方向あるいは双方向に引き渡される信号の帯域を制限する第二の濾波手段を有する
ことを特徴とする遮蔽インタフェース装置。
【請求項４】
請求項１ないし請求項３の何れか１項に記載の異なる複数の遮蔽インタフェース装置の筐体が着脱可能な１つ連通孔が外筐に形成され、かつ前記遮蔽インタフェース装置によって第一の装置とのインタフェースがとられる第二の装置が収納可能であるシールドケース。
【発明の詳細な説明】
【技術分野】
【０００１】
本発明は、シールドケースに収納された装置とそのシールドケースの外部に設置された外部装置とのインタフェースをとる遮蔽インタフェース装置と、この遮蔽インタフェース装置の装着が可能な構造を有するシールドケースとに関する。
【背景技術】
【０００２】
携帯電話の端末等の装置（以下、「被検装置」という。）は、検査や特性の確認に際して計測器や擬似基地局装置等の外部装置以外から不要な信号が入力され、あるいは到来することに起因する誤差の発生や性能の低下を回避するために、例えば、図４に示されるシールドケース５０に収納される。
【０００３】
外部装置は、シールドケース５０の外筐に直接形成された専用の孔５１に取り付けられたコネクタ５２を介して、図４および図５に示すように、そのシールドケース５０内に収納された被検装置である携帯電話端末６０に接続される。
【０００４】
このようなシールドケース５０内には、上記コネクタ５２に接続され、かつ携帯電話端末６０とのインタフェースをとるケーブル６１-1、６１-2およびプラグ６２が配置される。なお、シールドケース５０の側壁には、その側壁を貫通する高周波コネクタ５３が上記コネクタ５２に併せて取り付けられる。また、高周波コネクタ５３は、図５に符号「６１-2」で示されるケーブルおよびプラグ６２の対応するピンを介して、携帯電話端末６０と、既述の計測器や擬似基地局装置との間における無線信号の引き渡しに供される。
【０００５】
本発明に関連がある先行技術としては、以下に列記する特許文献１および特許文献２がある。
(1) 「複数のセルラー電話機の選択された１種と使用するための装置であって、 第一のセルラー電話機を保持するのに使用するための受け部と、電気的インタフェースとを有し、第一のセルラー電話機の特徴に関する情報を提供するための手段を含む第一のポケット装置と、
該第一のポケット装置の該電気的インタフェースに接続された共通のコネクタと、 第一のセルラー電話機を含む複数のセルラー電話機に関連する第一の所定の機能を少なくとも提供するための、該第一のポケット装置に接続された共通の装置と、
該共通のコネクタと該共通の装置とを相互接続する通信手段とを備える」ことによって「複数の異なる種類の携帯セルラー電話機に対して汎用性のある物理的および電気的接続を提供する」点に特徴がある装置…特許文献１
【０００６】
(2) 「電波を反射する金属板で形成され、内部に試験用アンテナ５が取付けられたケース４内に、アンテナ１０を有した無線機１１を収納し、試験用アンテナを介して無線機との間で信号の送受信を行うことによって、無線機の動作を試験するための電波シールドボックス２において、ケースの内面に電波吸収体７，８を貼付け、かつ試験用アンテナ５の共振周波数ｆC を無線機の使用周波数より高い値に設定する。また、ケースの内面における試験用アンテナ５の近傍部分に各使用周波数のうち高い使用周波数の電波を吸収する第１の電波吸収体７を貼付け、ケースの内面における試験用アンテナから遠方部分に各使用周波数のうち低い使用周波数の電波を吸収する第２の電波吸収体８を貼付けた」ことによって、「机上に設置できる程度の大きさであっても、使用周波数が異なる複数種類の無線機のアンテナ特性を含めた送受信性能を正確に測定できる」点に特徴がある…特許文献２
【先行技術文献】
【特許文献】
【０００７】
【特許文献１】特表平０９−５１２１５３号公報
【特許文献２】特開平０７−２６４１４７号公報
【発明の概要】
【発明が解決しようとする課題】
【０００８】
ところで、上述した従来例では、コネクタ５２は、携帯電話端末６０の検査や特性の確認に供される外部装置との接続に適し、かつシールドケース５０の外筐に直接形成された専用の孔５１に取り付けられていた。
【０００９】
したがって、例えば、シールドケース５０内に収容され得る被検査装置毎に検査や特性の確認が行われる項目が異なり、あるいは個々の検査や特性の確認に供される外部装置が多様に異なる場合には、例えば、これらの項目や外部装置毎に適したコネクタの取り付けが可能な専用の孔が個別に形成されたシールドケースが予め用意されなければならなかった。
【００１０】
すなわち、従来例では、被検装置の機種、検査や特性の確認の対象となる項目、これらの項目の基準等が多様であるほどコスト高となり、多種の被検装置の少数ロットに対する安価かつ柔軟な適応が難しかった。
【００１１】
本発明は、多種の被検装置と、これらの被検装置毎に行われるべき検査等の形態との双方に対して、安価にかつ柔軟に適応可能な遮蔽インタフェース装置およびシールドケースを提供することを目的とする。
【課題を解決するための手段】
【００１２】
請求項１に記載の発明では、インタフェース手段は、シールドケースの外部に配置された第一の装置と、前記シールドケースの内部に収納される第二の装置との間のインタフェースをとる。筐体は、前記シールドケースの外筐に形成された連通孔に着脱可能であって前記インタフェース手段が収納され、かつ前記シールドケースおよび前記インタフェース手段と共に、前記シールドケースの外部と内部との間における電磁的な遮蔽を図る。
【００１３】
すなわち、シールドケースの外部と内部とにそれぞれ配置された第一の装置および第二の装置の間では、シールドケースによって行われるべき電磁的な遮蔽が損われることなく上記連通孔に装着されたインタフェース手段によってインタフェースがとられる。
【００１４】
請求項２に記載の発明では、請求項１に記載の遮蔽インタフェース装置において、前記インタフェース手段は、前記第一の装置と前記第二の装置との間における一方向あるいは双方向の引き渡しの対象外である信号を阻止する第一の濾波手段を有する。
【００１５】
すなわち、第一の装置と第二の装置との間でインタフェース手段を介して引き渡される信号については、これらの装置の間で引き渡されるべき信号に限定することができる。
【００１６】
請求項３に記載の発明では、請求項１または請求項２に記載の遮蔽インタフェース装置において、前記インタフェース手段は、前記第一の装置と前記第二の装置との間で一方向あるいは双方向に引き渡される信号の帯域を制限する第二の濾波手段を有する。
【００１７】
すなわち、第一の装置と第二の装置との間でインタフェース手段を介して引き渡される信号については、これらの装置の間で引き渡されるべき信号に限定することができる。
【００１８】
請求項４に記載の発明では、請求項１ないし請求項３の何れか１項に記載の異なる複数の遮蔽インタフェース装置の筐体が着脱可能な１つ連通孔が外筐に形成され、かつ前記遮蔽インタフェース装置によって第一の装置とのインタフェースがとられる第二の装置が収納可能である。
【００１９】
すなわち、第二の装置は、本発明に係るシールドケースの内部に配置された状態では、請求項１ないし請求項３の何れか１項に記載の異なる複数の遮蔽インタフェース装置の内、所望の遮蔽インタフェース装置によってとられるインタフェースの下で、そのシールドケースの外部に配置された第一の装置と連係することができる。
【発明の効果】
【００２０】
本発明によれば、シールドケースの外部と内部とにそれぞれ配置された第一の装置および第二の装置の間で行われるべきインタフェースの形態が多様であっても、これらの形態に個別に対応したインタフェース手段が上述した連通孔に対して着脱可能に構成された筐体内に収納可能であるため、そのシールドケースの共用が可能となる。
【００２１】
本発明によれば、シールドケースの内部に配置された第二の装置は、そのシールドケースの外部に配置された第一の装置以外の装置や信号源から外乱その他の好ましくない信号の影響を被ることなく作動できる。
【００２２】
本発明に係るシールドケースは、上記第二の装置の構成、機能、仕様、性能その他の属性に適応した遮蔽インタフェース装置の仲立ちの下で、その第二の装置の検査、機能の確認等のために共用される。
【００２３】
したがって、本発明の適用により行われる検査や機能の確認は、外部との電磁的な遮蔽を実現する構成の標準化が図られることにより、その検査や確認の対象となり得る第二の装置の多様な構成や属性に柔軟に適合し、かつ無用な外乱等の影響を被ることなく安価に精度よく実現される。
【図面の簡単な説明】
【００２４】
【図１】本発明の一実施形態を示す図である。
【図２】本実施形態におけるシールドケースの内部の構成を示す図である。
【図３】本実施形態におけるフィルタ回路の等価回路を示す図である。
【図４】従来のシールドケースの構成例を示す図である。
【図５】従来のシールドケースの内部の構成を示す図である。
【発明を実施するための形態】
【００２５】
以下、図面に基づいて本発明の実施形態について詳細に説明する。
図１は、本発明の一実施形態を示す図である。
図において、シールドケース１０は図４に示すシールドケース５０に代えて備えられ、そのシールドケース１０の側壁には、後述するインタフェースユニット２０-1〜２０-Nの外筐の何れもが貫通可能であり、インタフェースユニット２０-1〜２０-Nの取り付けに供される孔（以下、「標準孔」という。）１１が形成される。
なお、このような標準孔１１には、上記インタフェースユニット２０-1〜２０-Nの外筐２０Ｃ-1〜２０Ｃ-Nの側壁が貫通する孔（以下、「貫通孔」という。）１１Mと、その貫通孔１１Ｍの周囲に所定の配置および間隔で形成された複数のネジ孔１１Ｓ-1〜１１Ｓ-nとが含まれる。
【００２６】
シールドケース１０の側壁には、図４に示す従来例と同様に、高周波コネクタ５３が取り付けられる。
【００２７】
一方、インタフェースユニット２０-1〜２０-Nは、既述の標準孔１１を介してシールドケース５０に取り付け可能な形状および寸法の外筐２０Ｃ-1〜２０Ｃ-Nをそれぞれ有する。なお、これらの外筐２０Ｃ-1〜２０Ｃ-Nの形状については、以下では、図１に示すように、直方体であると仮定する。また、外筐２０Ｃ-1〜２０Ｃ-Nの素材については、以下では、シールドケース５０の外筐の素材と同じ導電性の素材（金属等）であると仮定する。
【００２８】
以下、これらのインタフェースユニット２０-1〜２０-Nに共通の事項については、符号に付加される添え番号として、「１」〜「N」の何れにも該当すること意味する添え文字「K」を用いる。
【００２９】
インタフェースユニット２０-Kは、以下の要素から構成される。
(1) 外筐２０Ｃ-Kの４つの側壁に一様に形成され、その外筐２０Ｃ-Kと共通の導電性の素材から構成されるフランジ２０F-K
(2) フランジ２０Ｆ-Kに形成され、かつ既述の複数のネジ孔１１Ｓ-1〜１１Ｓ-nに個別に螺合する複数のネジによるシールドケース１０への外筐２０Ｃ-Kの取り付けおよび接地を実現する複数の貫通孔２０ｈ-K1〜２０ｈ-Kn
【００３０】
(3) 外筐２０Ｃ-Kの頂部に形成された孔（図示されない。）に取り付けられ、かつ図４に示すコネクタ５２に相当するコネクタ２１-K
(4) 外筐２０Ｃ-Kの底部に形成された孔（図示されない。）に取り付けられたコネクタ２２-K
【００３１】
一方、シールドケース１０の内部には、従来例と同様に、携帯電話端末６０が被検装置として収納される。また、シールドケース１０の外部に配置された計測器、擬似基地局装置とその携帯電話端末６０との間では、高周波コネクタ５３、ケーブル６１-2およびプラグ６２を介して、無線信号が相互に引き渡される。
【００３２】
しかし、既述の外部装置と携帯電話端末６０との間における上記無線信号以外の信号の引き渡しは、図２に示すように、その外部装置に接続されたプラグ３１-Kと、既述のコネクタ２１-Kと、図３に示すようにインタフェースユニット２０-Kの内部に配置されたフィルタ回路２３-Kと、コネクタ２２-Kとに併せて、そのコネクタ２２-Kに適合した標準のプラグ３２、既述のケーブル６１-1およびプラグ６２を介して行われる。
【００３３】
ここに、上記フィルタ回路２３-Kは、図３に示すように、コネクタ２１-Kとコネクタ２２-Kとの間におけるピン毎の結線に適用された貫通コン２４-K1〜２４-Km によって形成される低域フィルタとして構成される。また、フィルタ２３-Kの通過域は上記貫通コン２４-K1〜２４-Km の静電容量によって定まる。なお、これらの貫通コン２４-K1〜２４-Km の付加は、コネクタ２１-Kとコネクタ２２-Kとの間におけるピン毎の結線の一部に対して行われてもよい。
【００３４】
以下、図１ないし図３を参照して、本実施形態の作用を説明する。
インタフェースユニット２０-1〜２０-Nの構成は、以下の項目の組み合わせに個別に対応する。
(1) 被検装置としてシールドケース１０内に収納され得る複数の異なる機種の携帯電話端末装置
(2) 検査や特性の確認の対象となる項目に適した複数の異なる外部試験装置
【００３５】
所望の被検装置である携帯電話端末装置の機種（以下、「目的機種」という。）に併せて、その被検装置に関する検査や特性の確認の対象となる項目に適した外部装置（以下、「目的外部装置」という。）が決定されると、シールドケース１０の標準孔１１には、インタフェースユニット２０-1〜２０-Nの内、これらの目的機種および目的外部装置の組み合わせに対応する１つのインタフェースユニット（以下、「目的インタフェースユニット」という。）が挿設される。
【００３６】
なお、以下では、このような目的インタフェースユニットおよびその構成要素については、既述の添え番号「１」〜「Ｎ」に代えて、これらの添え番号「１」〜「Ｎ」の何れにも該当し得ることを意味する添え文字「Ｘ」を用いて示す。
【００３７】
このような状態では、標準孔１１は目的インタフェースユニット２０-Xの外筐２０Ｃ-Xによって塞がれる。さこに、外筐２０Ｃ-Xは、複数の貫通孔２０ｈ-X1〜２０ｈ-Xnを介してネジ孔１１Ｓ-1〜１１Ｓ-nに螺合する複数のネジを介してシールドケース１０の外筐に接地され、これらのネジによってフランジ２０Ｆ-Xが貫通孔１１Mの周囲に接触する状態で支持される。
【００３８】
したがって、シールドケース１０の外部と内部との間における電磁的な遮蔽は、従来例と同様に確保される。
【００３９】
なお、シールドケース１０の外部において、高周波コネクタ５３を介して計測器や擬似基地局装置との間で行われる無線信号の引き渡しについては、以下では、従来例と同じであるので、ここでは、その説明を省略する。
【００４０】
また、外部装置からプラグ３１-X、コネクタ２１-X、フィルタ回路２３-X、コネクタ２２-X、プラグ３２、ケーブル６１-1およびプラグ６２からなる経路（以下、「特定の経路」という。）を介して目的機種の携帯電話端末に引き渡される信号には、フィルタ回路２３-Xによって以下の濾波処理が施される。
【００４１】
フィルタ回路２３-Xは、既述の無線信号の（占有）帯域に阻止域を有する。
すなわち、シールドケース１０の外部で稼働している移動通信系等から到来する外乱や雑音の内、上記特定の経路を介してそのシールドケース１０の内部に伝達され、かつケーブル６１-1等を介して再放射される成分の電力は、所定のレベル以下に抑圧される。
【００４２】
このように本実施形態によれば、シールドケース１０は、インタフェースユニット２０-1〜２０-Nと共に構成の標準化が図られ、そのシールドケース１０の内部に収納され得る目的機種の被検装置と、これらの被検装置に関する検査や特性の確認の対象となり得る項目に適した目的外部装置との全ての組み合わせに対応したインタフェースユニット２０-1〜２０-Nの何れもが取り付け可能となる。
【００４３】
したがって、被検装置の機種、検査や特性の確認の対象となる項目、これらの項目の基準等が多様であっても、多種の被検装置の少数ロットに対する適応が安価に、かつ柔軟に実現される。
【００４４】
また、本実施形態では、コネクタ２１-X、２２-Xについては、インタフェースユニットの形状、寸法および構造の範囲で取り付け可能であるならば、多様な選択が可能となる。
【００４５】
さらに、本実施形態によれば、目的機種の被検装置と目的外部装置との新たな組み合わせに適応したインタフェースユニットが実現されるならば、シールドケース１０の設計や製造が新たに行われなくても、所望の被検装置の検査や特性の確認が安価に、かつ容易に実現される。
【００４６】
なお、本実施形態では、シールドケース１０に対するインタフェースユニット２０-K（外筐２０Ｃ-K）の接地を実現し、かつ維持する機構は、フランジ２０Ｆ-Kのネジ止めによって実現されている。
しかし、このような機構は、例えば、シールドケース１０に対するインタフェースユニット２０-Kの取り付けを以下の多様な形態で実現する機構で代用されてもよい。
螺嵌、挿嵌、洞嵌、連結、係合、継合、嵌合、係止、掛止、枢支、積重（積層）、架設、突設、内設、周設、垂設、埋設、狭入
【００４７】
また、本実施形態では、シールドケース１０の外部と内部との間における無線信号の引き渡しは、そのシールドケース１０に直接取り付けられている高周波コネクタ５３を介して行われている。
【００４８】
しかし、このような高周波コネクタ５３は、インタフェースユニット２０-Kに取り付けられてもよい。
【００４９】
さらに、本実施形態では、シールドケース１０の内部における携帯電話端末装置との無線信号の引き渡しは、既述のケーブル６１-2およびコネクタ６２を介して行われなくてもよく、例えば、シールドケース１０の内部に配置され、その内部に該当する無線信号の伝搬路を形成するアンテナを介して行われてもよい。
【００５０】
また、本実施形態では、インタフェースユニット２０-Kの頂部には、１つのコネクタ２１-Kのみが取り付けられている。しかし、このようなインタフェースユニット２０-Kに取り付けられるべきコネクタの個数および形式は、取り付けと、シールドケース１０の内部および外部の間における所望の信号の引き渡しとの双方に関する制約がない場合には、如何なるものであってもよい。
【００５１】
さらに、本実施形態では、フィルタ回路２３-Kの構成および特性は、如何なるものであってもよい。
【００５２】
また、本実施形態では、シールドケース１０の開閉にかかわる機構は、そのシールドケース１０の内部に被検装置が収納され、その被検装置の検査や特性の確認に必要な系やスペースが確保されるならば、如何なるものであってもよい。
【００５３】
さらに、本実施形態では、インタフェースユニット２０-Kの外筐２０Ｃ-Kの形状、寸法および素材は、シールドケース１０の外部と内部との間における電磁的な遮蔽に併せて、かつ既述の検査や特性の確認に必要な系およびスペースが確保されるならば、如何なるものであってもよい。
【００５４】
また、本実施形態では、インタフェースユニット２０-Kを介してとられるインタフェースは、シールドケース１０の外部と内部との間における電気信号に限定されず、例えば、これらの外部と内部との間で引き渡されるべき信号が光信号であっても、同様に実現可能である。
【００５５】
さらに、このようなインタフェースは、シールドケース１０の外部と内部との間で引き渡される信号の数、組み合わせだけではなく、その信号で示される情報の内容、形式の如何にかかわらず同様に実現可能である。
【００５６】
また、本実施形態では、インタフェースユニット２０-Kの外筐２０Ｃ-Kとシールドケース１０とが互いに接触する部位の形状、構造については、既述の電磁的な遮蔽が実現されるならば、如何なるものであってもよく、例えば、両者の部位が密に接触し、あるいはその両者の間に隙間が形成されてもよい。
【００５７】
さらに、本実施形態では、フィルタ回路２３-Kは、インタフェースユニット２０-Kを介してシールドケース１０の外部と内部との間における電磁的な遮蔽が十分に確保される場合には、実装されなくてもよい
【００５８】
また、本実施形態では、フィルタ回路２３-Kについては、インタフェースユニット２０-Kの内部のみ、あるいはその内部とシールドケース１０との内部との双方に配分されて実装されてもよい。このようなフィルタ回路２３-Kは、通過域や阻止域がどのように設定されてもよく、かつ多段に構成されてもよい。
【００５９】
また、本発明は、上述した実施形態に限定されず、本発明の範囲において多様な実施形態の構成が可能であり、構成要素の全てまたは一部に如何なる改良が施されてもよい。
【符号の説明】
【００６０】
１０，５０  シールドケース
１１  標準孔
１１M  貫通孔
１１Ｓ  ネジ孔
２０  インタフェースユニット
２０Ｃ  外筐
２０ｈ  貫通孔
２０Ｆ  フランジ
２１，２２，５２  コネクタ
２３  フィルタ回路
２４  貫通コン
３１，３２，６２  プラグ
５１  孔
５３  高周波コネクタ
６０  携帯電話端末
６１  ケーブル
【図１】
2011009487.tif 000003
【図２】
2011009487.tif 000004
【図３】
2011009487.tif 000005
【図４】
2011009487.tif 000006
【図５】
2011009487.tif 000007